(57)【要約】【課題】放送用端末機が移動して異なる放送チャネルエリアに位置した場合、別途のチャネル切替操作を行うことなく放送チャネルのハンドオーバーを行う装置及び方法を提供する。【解決手段】放送用端末機のハンドオーバー方法は、第１エリアの放送サービスを受信中に第２エリアに移動すると、既に保存されている第１エリアのチャネル情報を抽出する過程と、抽出された第１エリアのチャネル情報と、第２エリアのチャネル情報とが一致するか否かを比較する過程と、第１エリアのチャネル情報と、第２エリアのチャネル情報とが一致しないと、第２エリアの放送チャネルに切り替えて、第２エリアから放送サービスを受ける過程とを含む。【選択図】図１
2006148924.tif 000002
【特許請求の範囲】
【請求項１】
第１エリアの放送サービスを受信中に第２エリアに移動すると、既に保存されている前記第１エリアのチャネル情報を抽出する制御部と、
前記抽出された第１エリアのチャネル情報と、前記第２エリアのチャネル情報とが一致するか否かを比較する比較部と、
を含むことを特徴とする放送用端末機。
【請求項２】
基地局と放送網とから受信するチャネル情報を保存するためのメモリをさらに含むことを特徴とする請求項１に記載の放送用端末機。
【請求項３】
前記制御部は、前記第１エリアのチャネル情報と、前記第２エリアのチャネル情報とが一致しないと、前記第２エリアの放送チャネルに切り替えて、該切り替えた第２エリアの放送チャネルで、前記第２エリアから放送サービスを受けることを特徴とする請求項１に記載の放送用端末機。
【請求項４】
前記制御部が、各基地局の位置情報を用いて端末機の現在位置を計算することを特徴とする請求項１に記載の放送用端末機。
【請求項５】
前記チャネル情報が、各基地局の経度、緯度の情報を含むことを特徴とする請求項１に記載の放送用端末機。
【請求項６】
前記比較部が、前記制御部により計算された端末機の現在位置情報と、移動しようとする地域の位置情報とを用いて、ハンドオーバーの実施を決定することを特徴とする請求項１に記載の放送用端末機。
【請求項７】
前記制御部が、前記比較部から受信したハンドオーバー実施の決定によってハンドオーバーを行うことを特徴とする請求項１に記載の放送用端末機。
【請求項８】
第１エリアの放送サービスを受信中に第２エリアに移動すると、既に保存されている前記第１エリアのチャネル情報を抽出する過程と、
前記抽出された第１エリアのチャネル情報と、前記第２エリアのチャネル情報とが一致するか否かを比較する過程と、
前記第１エリアのチャネル情報と、前記第２エリアのチャネル情報とが一致しないと、前記第２エリアの放送チャネルに切り替えて、前記第２エリアから放送サービスを受ける過程と、
を含むことを特徴とする放送用端末機のハンドオーバー方法。
【請求項９】
前記抽出する過程は、
ＤＭＢ端末機が第１エリアの放送チャネル情報を抽出する過程と、
前記ＤＭＢ端末機の使用者が前記第１エリアの放送チャネル情報を用いて第１チャネルを選択すると、該選択された第１チャネルを視聴させる過程と、
前記ＤＭＢ端末機が基地局の位置情報を取得して、前記ＤＭＢ端末機の現在位置を計算する過程と、
前記ＤＭＢ端末機の使用者が前記第１エリアから前記第２エリアに移動することによって、前記基地局の位置情報を用いてＤＭＢ放送網内の前記ＤＭＢ端末機の位置を検索する過程と、
前記ＤＭＢ端末機が前記第１エリアと前記第２エリアとの放送サービスが重なるエリアに位置すると、前記移動した第２エリアの放送チャネル情報を抽出する過程と、
を含むことを特徴とする請求項８に記載の放送用端末機のハンドオーバー方法。
【請求項１０】
前記サービスを受ける過程は、
前記第１エリアの放送チャネル情報と、前記第２エリアの放送チャネル情報とを比較する過程と、
前記第１エリアの放送チャネル情報と、前記第２エリアの放送チャネル情報とが一致しない場合、使用者が前記第１エリアで視聴していた第１チャネルと同一の前記第２エリアの第１チャネルに、放送チャネルのハンドオーバーを行う過程と、
前記放送チャネルのハンドオーバーが行われた後、ＤＭＢ端末機のチャネル情報リストを前記第２エリアの放送チャネル情報に更新する過程と、
を含むことを特徴とする請求項８に記載の放送用端末機のハンドオーバー方法。
【請求項１１】
前記第１エリア及び前記第２エリアの放送チャネル情報は、チャネル情報リストから抽出することを特徴とする請求項９に記載の放送用端末機のハンドオーバー方法。
【請求項１２】
前記チャネル情報リストは、ＤＭＢ放送サービス事業者から提供されて、前記ＤＭＢ端末機に保存されることを特徴とする請求項１１に記載の放送用端末機のハンドオーバー方法。
【請求項１３】
前記計算する過程において、
前記基地局の位置情報が、セルラ移動通信網が提供するページングチャネル内のシステムパラメータメッセージにより前記ＤＭＢ端末機に提供されることを特徴とする請求項９に記載の放送用端末機のハンドオーバー方法。
【請求項１４】
前記検索する過程において、
前記ＤＭＢ端末機が前記第１エリアと、前記第２エリアとの放送サービスが重なるエリアに位置するか否かを検索することを特徴とする請求項９に記載の放送用端末機のハンドオーバー方法。
【請求項１５】
前記放送サービスが重なるエリアが、ハンドオーバーエリアであることを特徴とする請求項１４に記載の放送用端末機のハンドオーバー方法。
【請求項１６】
前記比較する過程において、
互いに対応する放送チャネル情報の全てのフィールドを比較することを特徴とする請求項１０に記載の放送用端末機のハンドオーバー方法。
【請求項１７】
前記ハンドオーバーを行う過程において、
前記放送チャネルのハンドオーバーが、前記第１エリアの第１チャネルに該当する周波数から前記第２エリアの第１チャネルに該当する周波数に変更される方式で行われることを特徴とする請求項１０に記載の放送用端末機のハンドオーバー方法。
【請求項１８】
前記ハンドオーバーを行う過程において、
前記放送チャネルのハンドオーバーが行われる前に、前記ＤＭＢ端末機の使用者が視聴していた第１エリアの放送チャネル情報を、前記ＤＭＢ端末機のメモリに保存することを特徴とする請求項１０に記載の放送用端末機のハンドオーバー方法。
【請求項１９】
前記更新する過程において、
前記ＤＭＢ端末機のメモリに保存された第１エリアの放送チャネル情報の代わりに、前記第２エリアの放送チャネル情報を設定することにより、前記ＤＭＢ端末機のチャネル情報リストを更新することを特徴とする請求項１０に記載の放送用端末機のハンドオーバー方法。
【請求項２０】
ＤＭＢ端末機の現在位置がＤＭＢ放送網のＤＭＢ局所放送網間におけるサービス重複エリアに位置するか否かを検索する過程と、
前記ＤＭＢ端末機が前記ＤＭＢ局所放送網間のサービス重複エリアに位置する場合、各サービス重複エリアに該当する放送チャネル情報を比較する過程と、
前記各サービス重複エリアの放送チャネル情報が一致しない場合、放送チャネルのハンドオーバーを行う過程と、
を含むことを特徴とする放送用端末機のハンドオーバー方法。
【請求項２１】
前記ＤＭＢ端末機が、セルラ移動通信網の基地局と双方向通信サービスが可能な端末機であり、ＤＭＢ受信機を備えることを特徴とする請求項２０に記載の放送用端末機のハンドオーバー方法。
【請求項２２】
前記検索する過程において、
前記ＤＭＢ放送網内のＤＭＢ端末機の現在位置を、セルラ移動通信網が提供する基地局の位置情報に基づいて計算することにより取得することを特徴とする請求項２０に記載の放送用端末機のハンドオーバー方法。
【請求項２３】
前記基地局の位置情報が、前記セルラ移動通信網の各基地局の経度値と緯度値とを含むことを特徴とする請求項２２に記載の放送用端末機のハンドオーバー方法。
【請求項２４】
前記比較する過程において、
前記放送チャネル情報は、チャネル情報リストから抽出することを特徴とする請求項２０に記載の放送用端末機のハンドオーバー方法。
【請求項２５】
前記チャネル情報リストは、ＤＭＢ放送局から提供されて前記ＤＭＢ端末機に保存されることを特徴とする請求項２４に記載の放送用端末機のハンドオーバー方法。
【請求項２６】
前記比較する過程において、
前記サービス重複エリアの放送チャネル情報間で、互いに対応する全てのフィールドが一致するか否かを比較することを特徴とする請求項２０に記載の放送用端末機のハンドオーバー方法。
【請求項２７】
前記ハンドオーバーを行う過程は、
前記放送チャネルのハンドオーバーが発生すると、前記ＤＭＢ端末機の放送チャネル情報を更新する過程を含むことを特徴とする請求項２０に記載の放送用端末機のハンドオーバー方法。
【請求項２８】
前記放送チャネル情報を更新する過程は、
前記ＤＭＢ端末機の放送チャネルのハンドオーバーが行われる前に、現在受信中の放送チャネル情報を保存する過程と、
前記ＤＭＢ端末機の放送チャネルのハンドオーバーが行われた後に、前記保存された放送チャネル情報の代わりに、移動したエリアの放送チャネル情報を設定する過程と、
を含むことを特徴とする請求項２７に記載の放送用端末機のハンドオーバー方法。
【請求項２９】
ＤＭＢ放送網の局所放送網間を移動するときに、セルラ移動通信網から得られる現在の位置情報に基づいて、放送チャネル情報を切り換えるハンドオーバーを実行することを特徴とする放送用端末機。
【発明の詳細な説明】
【技術分野】
【０００１】
本発明は、放送用端末機に関し、特に、放送用端末機が、移動して放送チャネルが変わる地域（エリア）に位置する場合、別途のチャネル切替操作を行うことなく放送チャネルのハンドオーバーを行う装置及びその方法に関する。
【背景技術】
【０００２】
一般に、放送用端末機（以下、ＤＭＢ端末機ともいう）は、移動中に放送局から送出されるマルチメディア情報やデータを受信できるように提案されたものであって、ＤＭＢ（Digital Multimedia Broadcasting）、ＤＶＢ−Ｈ（Digital Video Broadcasting Handheld）、Ｍｅｄｉａ−Ｆｌｏ（Media-Forward link only）などのように各国別に多様に命名されている放送サービスを提供する。
【０００３】
ＤＭＢは、移動中にも、ＤＭＢ受信機を備えた放送用端末機（例えば、ＰＤＡ（Personal Digital Assistant）、車載端末機など）に高音質の音声及び高画質の画像などの多様なマルチメディア信号をデジタル方式で提供する放送サービスであって、デジタル放送データをのせた電波を転送する方式によって、衛星ＤＭＢ（Satellite DMB）と地上波ＤＭＢ（Terrestrial DMB）とに分けられる。
【０００４】
衛星ＤＭＢは、衛星から送出されたデジタル放送データを地上中継機が受信して衛星ＤＭＢ端末機に送出する方式であり、単一チャネル（又は、周波数）で同一の放送をサービスする。しかしながら、地上波ＤＭＢは、複数のＤＭＢ局所放送網（local broadcasting network）で構成されており、各ＤＭＢ局所放送網毎に固有のチャネルを管理しているため、地上波ＤＭＢは、単一チャネルで同一の放送をサービスするＳＦＮ（Single Frequency Network）の構築が難しい。
【０００５】
従って、地上波ＤＭＢ端末機の使用者が、特定のＤＭＢ局所放送網がサービスする放送を視聴しながら移動することによって、ＤＭＢ局所放送網が変更された場合、その変更されたＤＭＢ局所放送網がサービスするチャネルを検索してチャネル切替操作を行わなければ、視聴していた放送を続けて視聴することができないという問題があった。
【発明の開示】
【発明が解決しようとする課題】
【０００６】
本発明は、このような従来技術の問題を解決するためになされたもので、放送用端末機の移動によって放送チャネルが変更された場合、その変更された放送チャネルにハンドオーバーする装置及び方法を提供することを目的とする。
【課題を解決するための手段】
【０００７】
上記の目的を達成するために、本発明による放送用端末機は、第１エリアの放送サービスを受信中に第２エリアに移動すると、既に保存されている前記第１エリアのチャネル情報を抽出する制御部と、該抽出された第１エリアのチャネル情報と、前記第２エリアのチャネル情報とが一致するか否かを比較する比較部と、を含むことを特徴とする。
【０００８】
上記の目的を達成するために、本発明に従う放送用端末機の移動に基づくハンドオーバー方法は、第１エリアでの放送サービスの受信中に第２エリアに移動すると、既に保存されている第１エリアのチャネル情報を抽出する過程と、該抽出された第１エリアのチャネル情報と前記第２エリアのチャネル情報とが一致するか否かを比較する過程と、前記第１エリアのチャネル情報と前記第２エリアのチャネル情報とが一致しないと、前記第２エリアの放送チャネルに切り替えて、前記第２エリアから放送サービスを受ける過程とを含むことを特徴とする。
【０００９】
本発明は、基地局間のハンドオーバーだけでなく、衛星間に移動が発生した場合にも適用することができる。
【発明の効果】
【００１０】
本発明による放送用端末機の移動による放送チャネルハンドオーバー装置及び方法は、使用者が移動する地域によってＤＭＢ局所網がサービスするチャネルが変わっても、別途のチャネル検索及びチャネル切替を行うことなく、使用者が視聴していた放送サービスを連続して視聴できるという効果がある。
【００１１】
また、本発明は、ＤＭＢ端末機の位置検索をセルラ移動通信網が提供して、ＧＰＳ（Global Positioning System）のような別途の位置追跡装置を必要としないため、コストを低減できるといった経済的な効果を得ることができる。
【００１２】
さらに、本発明は、基地局間のハンドオーバーだけでなく、衛星間に移動が発生した場合にも適用することができる。
【発明を実施するための最良の形態】
【００１３】
本発明は、放送用端末機で実現される。しかしながら、本発明は、他の標準に準拠した無線通信システムにも適用することができる。
【００１４】
本発明によるＤＭＢ端末機は、地上波ＤＭＢ受信機を備えているＤＭＢフォン、ＰＤＡ、ノートブックコンピュータなどであり、セルラ移動通信網をベースにし、双方向移動通信サービスが提供されることを基本前提とする。
【００１５】
本発明の基本概念は、ユーザが異なる周波数チャネルを使用するＤＭＢ局所網に移動した場合でも、セルラ移動通信網から提供された基地局の位置情報と、ＤＭＢ放送網から提供されたエリア別ＤＭＢ放送チャネル情報とを用いて、視聴中の放送チャネルにハンドオーバーすることにより、周波数の変動によるチャネル検索及びチャネル切り換えなどの不要な動作（又は、操作）を排除するというものである。
【００１６】
従って、本発明を実施するためには、前述したように、「基地局の位置情報」と「エリア別ＤＭＢ放送チャネル情報」の２つの情報が必要である。
【００１７】
この場合、放送用端末機は、ＤＭＢ放送網の局所放送網間を移動するときに、セルラ移動通信網から得られる現在の位置情報に基づいて、放送チャネル情報を切り換えるハンドオーバーを実行するようにするとよい。
【００１８】
基地局の位置情報は、セルラ移動通信網を構成している各基地局の経度値と緯度値を含み、基地局から転送されるページングチャネル（paging channel）のシステムパラメータメッセージ（system parameter message）から周期的に取得される。また、エリア別ＤＭＢ放送チャネル情報とは、ＤＭＢ放送ストリーム（又は、データ）を制御するＦＩＣ（Fast Information Channel）に基づいて、ＭＣＩ（Multiplex Configuration Information）とＳＩ（Service Information）をパーシング（parsing）することで得られるＳＩＤ（Service ID）などを含む情報を意味する。ここで、ＭＣＩは放送チャネル情報を含み、ＳＩはサービス関連情報を含む。
【００１９】
エリア別ＤＭＢ放送チャネル情報は、チャネル情報リストに含まれている。このチャネル情報リストは、ＤＭＢ端末機の初期駆動時にＤＭＢ放送局から提供されて、ＤＭＢ端末機内に備えられた所定のメモリに保存される。
【００２０】
図１は、本発明の一実施形態によるＤＭＢ端末機の放送チャネルハンドオーバー装置を示すブロック図である。
【００２１】
図１に示すように、本発明の一実施形態によるＤＭＢ端末機の放送チャネルハンドオーバー装置は、チャネル選択などの命令が入力される入力部１０と、入力された命令を制御し、各基地局の位置情報を用いて現在位置を計算する制御部３０と、チャネル情報リストを含む多様なデータを保存するメモリ４０と、各基地局の経度、緯度などのデータを受信する受信部２０と、ハンドオーバーの実施を決定するために、計算された現在位置情報と、移動しようとするエリアの位置情報とを比較する比較部５０と、表示部６０とを含む。
【００２２】
以下、このように構成された本発明の一実施形態による放送チャネルハンドオーバー装置の動作について説明する。
【００２３】
該当基地局から転送された基地局の位置情報と、ＤＭＢ放送網から転送されたエリア別ＤＭＢ放送チャネル情報とが受信部２０で受信されると、エリア別ＤＭＢ放送チャネル情報を含むチャネル情報リストがメモリ４０に保存される。入力部１０により、現在位置しているエリア（例えば、ソウル）の放送チャネル情報に基づいて、メモリ４０に保存されたチャネル情報リストから視聴しようとするチャネルが選択されると、選択されたチャネルにチューニングされ、使用者は選択したチャネルで表示部６０に表示される放送を視聴する。
【００２４】
放送視聴中にＤＭＢ端末機が他のエリア（例えば、大田）に移動すると、ＤＭＢ端末機は、セルラ移動通信網から提供されているページングチャネルを受信して、このページングチャネルのシステムパラメータメッセージから各基地局の経度値及び緯度値を含む基地局の位置情報を受信する。位置情報を受信すると、比較部５０は、制御部３０の制御下でＤＭＢ端末機の現在位置（例えば、図３における第１セル内の位置）を計算して、ＤＭＢ局所網内における位置を検索し、また、サービス重複領域（例えば、図３における第３セル）に位置するか否かを検索する。
【００２５】
比較部５０によりＤＭＢ端末機がサービス重複領域に位置していると判断されると、制御部３０は、メモリ４０に保存されているチャネル情報リストから現在放送を受信しているエリア（例えば、ソウル）と重なるエリア（例えば、大田）の放送チャネル情報を抽出して比較部５０に転送し、比較部５０は、現在放送を受信しているエリアの放送チャネル情報と、移動したエリアの放送チャネル情報とが一致するか否かを比較し、この比較結果によってハンドオーバーの実施を決定する。
【００２６】
図４は本発明の一実施形態によるチャネル情報リストを示す図である。図４に示すように、本発明の一実施形態によるチャネル情報リストは、各エリア別ＤＭＢ放送チャネル情報で構成される。また、各エリア別ＤＭＢ放送チャネル情報は、位置情報（ＰｏｓＩｎｆｏフィールドに該当）、周波数情報（ＦｒｅｑＮｏフィールドに該当）、アンサンブルチャネル情報（ＥＩＤ（Ensemble ID）フィールドに該当）、放送サービス情報（ＳＩＤ（Service ID）フィールドに該当）などを含む。ここで、アンサンブルチャネルとは、１つのＤＭＢ放送サービス事業者が提供する複数のＤＭＢ放送チャネルの集合をいい、アンサンブルチャネル情報（ＥＩＤ）は、これに関する情報を含む。その他のフィールドについては、説明の簡略化のために省略する。
【００２７】
図４に示すように、ＤＭＢ局所網がソウルの場合、割り当てられた周波数は１２であり、この周波数１２には、複数のＤＭＢ放送サービス事業者（例えば、ＫＢＳ、ＭＢＣ、ＳＢＳなど）のアンサンブルチャネル（例えば、１２Ａ−ＫＢＳ、１２Ｂ−ＭＢＣ、１２Ｃ−ＳＢＳなど）がＥＩＤに含まれている。また、ＤＭＢ局所網が大田の場合、割り当てられた周波数は８であり、この周波数８には、アンサンブルチャネル、例えば、８Ｂ−ＫＢＳ、８Ａ−ＭＢＣ、８Ｃ−ＳＢＳなどがＥＩＤに含まれている。
【００２８】
図２は、本発明の一実施形態に従う放送用端末機の移動による放送チャネルハンドオーバー方法を示すフローチャートであり、図３はその概念図である。
【００２９】
以下、図２〜図４を参照して、本発明の一実施形態によるＤＭＢ端末機の放送チャネルハンドオーバー方法について詳細に説明する。
【００３０】
使用者が、ＤＭＢ端末機をＴＶモードに設定してＤＭＢ放送を受信し（Ｓ１０）、メモリに保存されたチャネル情報リストから現在位置しているエリア（例えば、ソウル）の放送チャネル情報を用いて、視聴しようとする特定チャネル（例えば、アンサンブルチャネル１２Ａ−ＫＢＳのＣＨ９）を選択する。すると、ＤＭＢ端末機は、その選択された特定チャネルにチューニングし、使用者は選択した特定チャネルの放送を視聴する（Ｓ２０、Ｓ３０）。図２に示すように、使用者が、選択した特定チャネル（アンサンブルチャネル１２Ａ−ＫＢＳのＣＨ９）の放送を視聴しながら、現在位置しているエリア（ソウル）から他のＤＭＢ局所網のエリア（大田）に移動すると、まず、使用者のＤＭＢ端末機は、現在位置を検索して、ＤＭＢ局所網間のサービス重複エリアに位置するか否かを検索する（Ｓ４０）。
【００３１】
過程Ｓ４０をより詳しく説明すると、ＤＭＢ端末機は、セルラ移動通信網が提供するページングチャネルを受信して（Ｓ４１）、ページングチャネルのシステムパラメータメッセージから、各基地局の経度値及び緯度値を含む基地局の位置情報を取得する（Ｓ４２）。次に、取得した基地局の位置情報を用いて、ＤＭＢ端末機の現在位置（図３における第１セル内の位置）を計算して（Ｓ４３）、ＤＭＢ端末機のＤＭＢ局所網内における位置を検索する。また、使用者が選択した特定チャネル（アンサンブルチャネル１２Ａ−ＫＢＳのＣＨ９）を視聴しながら移動すると（Ｓ４４）、ＤＭＢ局所網間（例えば、図２におけるソウルのＤＭＢ局所網と大田のＤＭＢ局所網の間）のサービス重複エリア（例えば、図３における第３セル）に位置するか否かを検索する（Ｓ４５）。
【００３２】
過程Ｓ４０で、使用者のＤＭＢ端末機がＤＭＢ局所網間のサービス重複エリアに位置していると判断すると、ＤＭＢ端末機は、メモリに保存されているチャネル情報リストから、現在放送を受信しているエリア（ソウル）と重なるエリア（大田）の該当放送チャネル情報を抽出して（Ｓ５１）、現在放送を受信しているエリア（ソウル）の放送チャネル情報と、移動したエリア（大田）の放送チャネル情報とが一致するか否かを比較する（Ｓ５２）。一連の過程Ｓ５１及びＳ５２は、ＤＭＢ端末機の放送チャネルをハンドオーバーするかどうかを判断する過程を意味する（Ｓ５０）。
【００３３】
過程Ｓ５０により、図３に示すように、抽出された移動先エリア（大田）の放送チャネル情報と、現在放送を受信しているエリア（ソウル）の放送チャネル情報とが異なることが分かる。即ち、各エリアにおける互いに対応する放送チャネル情報のフィールドを比較してみると、局所情報（ソウル／大田）をはじめとして、周波数情報（ソウル：１２／大田：８）、それによる放送サービス事業者のアンサンブルチャネル情報（ソウル：１２Ａ−ＫＢＳ／大田：８Ｂ−ＫＢＳ）、放送サービス情報などの情報が全て異なるため、使用者が現在放送を受信している地域（ソウル）で視聴していた放送（アンサンブルチャネル１２Ａ−ＫＢＳのＣＨ９）を続けて視聴するためには、放送チャネルのハンドオーバーが必要である。
【００３４】
従って、ＤＭＢ端末機は、移動先の地域（大田）でサービスをする、現在放送を受信している地域（ソウル）で視聴していた放送（アンサンブルチャネル１２Ａ−ＫＢＳのＣＨ９）と同一の放送（アンサンブルチャネル８Ｂ−ＫＢＳのＣＨ９）に放送チャネルをハンドオーバーし、移動した地域（大田）の放送チャネル情報にチャネル情報リストを更新する（Ｓ６０）。
【００３５】
過程Ｓ６０をより詳しく説明すると、まず、現在放送を受信している地域（ソウル）に該当する放送チャネル情報（例えば、ＥＩＤ及びＳＩＤ１など）を、バックアップ用にＤＭＢ端末機内に備えられた所定のメモリに保存する（Ｓ６１）。次に、現在放送を受信している地域（ソウル）で視聴していた放送チャネル（アンサンブルチャネル１２Ａ−ＫＢＳのＣＨ９）から、これと同一の放送をサービスする移動した地域（大田）の放送チャネル（アンサンブルチャネル８Ｂ−ＫＢＳのＣＨ９）に切り替えて（周波数１２から周波数８に切り替えて）、放送チャネルをハンドオーバーし（Ｓ６２）、その後、過程Ｓ６１で保存した放送チャネル情報の代わりに、変更した地域（大田）の放送チャネル情報（例えば、ＥＩＤ及びＳＩＤ２など）を設定することにより放送情報を更新する（Ｓ６３）。
【００３６】
このように、使用者が視聴していた放送の放送チャネルがハンドオーバーされることによって、使用者は地域を移動して放送チャネル情報が変更されても、別途のチャネル検索及びチャネル操作を行うことなく、視聴していた放送局（ＫＢＳ）の同一チャネル（ＣＨ９）を続けて視聴することができる（Ｓ７０）。
【００３７】
以上説明したように、本発明によるＤＭＢ端末機の放送チャネルのハンドオーバーは、移動した地域の放送チャネル情報と現在放送サービスを受信している地域の放送チャネル情報とが異なる場合に実施されるものである。従って、ＤＭＢ端末機が移動した地域の放送チャネル情報と、現在放送サービスを受信している地域の放送チャネル情報とが一致する場合は、放送チャネルのハンドオーバーを行う必要がない。
【図面の簡単な説明】
【００３８】
【図１】本発明の一実施形態による放送用端末機の放送チャネルハンドオーバー装置を示すブロック図である
【図２】本発明の一実施形態による放送チャネルハンドオーバー方法を示すフローチャートである。
【図３】本発明の一実施形態に従う放送用端末機の移動による放送チャネルハンドオーバー方法を示す概念図である。
【図４】本発明の一実施形態によるチャネル情報リストを示す図である。
【符号の説明】
【００３９】
１０  入力部
２０  受信部
３０  制御部
４０  メモリ
５０  比較部
６０  表示部
【図１】
2006148924.tif 000003
【図２】
2006148924.tif 000004
【図３】
2006148924.tif 000005
【図４】
2006148924.tif 000006